(57)【要約】【課題】操作スイッチの指先押圧部を可撓性の防水膜で覆う必要のないワイヤレスリモコン装置。【解決手段】表面板７の裏面側Ｂに、指先操作を検知するセンサー８と、センサー８の検知に応じた信号を機器（照明付き換気扇）側の受信装置６にワイヤレスで送信する送信装置９と、これらを駆動する電池１０とを配置したワイヤレスリモコン装置１であって、表面板７は防水性で且つ非導電性となっており、センサー８は表面板７に向かって接近する指先で生じる電気的変化（例えば、接近・離反する指先による静電容量の変化、接近・離反する指先によるミリ波やマイクロ波の電波の反射等）を検知する非接触式である。【効果】表面板７の表面側Ａに従来の可撓性の防水膜を設ける必要がないため、防水膜の耐久性の問題や防水膜を設けることによる意匠的制限を受けることがなくなる。【選択図】　図２
2004140637.tif 000002
【特許請求の範囲】
【請求項１】
表面板の裏面側に、指先操作を検知するセンサーと、該センサーの検知に応じた信号を機器側の受信装置にワイヤレスで送信する送信装置と、これらを駆動する電池とを配置したワイヤレスリモコン装置であって、前記表面板は防水性で且つ非導電性となっており、前記センサーは前記表面板に向かって接近する指先で生じる電気的変化を検知する非接触式であることを特徴とするワイヤレスリモコン装置。
【請求項２】
前記表面板の裏面側に、前記センサーの一回の検知で発音及び／又は発光して操作報告を発する報告具と、前記センサーの検知後に空白時間を設けて次の検知を可能とする空白設定回路とを備えた請求項１に記載のワイヤレスリモコン装置。
【請求項３】
前記電池は太陽電池からなり、前記表面板はその表面側から太陽電池へ光を導く透明部を形成した請求項１又は２に記載のワイヤレスリモコン装置。
【請求項４】
前記電池は蓄電池からなり、該蓄電池を充電する充電装置を備え、該充電装置は、前記表面板の裏面側に配置されて２次コイルを有する充電具と、前記表面板の表面側から該２次コイルに接近できる１次コイルを有する給電具とからなり、両コイルが接近したときに両コイル間の電磁誘導作用よる誘導電流で充電する請求項１又は２に記載のワイヤレスリモコン装置。
【請求項５】
前記電池は蓄電池からなり、該蓄電池を充電する充電装置を備え、該充電装置は、前記表面板の表面側の外側に位置する送信機と、前記表面板の裏面側に配置した充電具とからなり、該送信機から発して該充電具で受信した電波を充電用電圧に生成して充電する請求項１又は２に記載のワイヤレスリモコン装置。
【請求項６】
前記表面板は、室内壁の表面の一部を形成し、その裏面側に配置するものを該室内壁の内部に埋設した請求項１乃至５のいずれか１項に記載のワイヤレスリモコン装置。
【発明の詳細な説明】
【０００１】
【発明の属する技術分野】
本発明は、台所、便所または浴室等に設けられ、指先で操作するワイヤレスリモコン装置に関するものである。
【０００２】
【従来の技術】
従来、防水型のワイヤレスリモコン装置は、押圧式の操作スイッチ、該操作スイツチの操作に応じた信号を機器にワイヤレスで送信する送信装置および該送信装置を駆動する乾電池を備えたリモコン回路と、該リモコン回路を内部に包含する防水型の外装ケースとからなるものがある（例えば、特許文献１参照。）。
【０００３】
【特許文献１】
特許第２８２２６０１号公報
【０００４】
【発明が解決しようとする課題】
従来のワイヤレスリモコン装置は、操作スイッチの指先押圧部を、外装ケースの表面側に設けた可撓性の樹脂フイルムやゴム板等の防水膜で覆って防水するため、押圧される防水膜の耐久性の問題や防水膜を設けることによる意匠的制限を受ける問題がある。
【０００５】
そこで、本発明は、上記問題を解決するために、表面側に可撓性の防水膜を必要としないワイヤレスリモコン装置を提供するものである。
【０００６】
【課題を解決するための手段】
表面側に可撓性の防水膜を必要としないようにするために請求項１記載の本発明が採用した手段は、表面板の裏面側に、指先操作を検知するセンサーと、該センサーの検知に応じた信号を機器側の受信装置にワイヤレスで送信する送信装置と、これらを駆動する電池とを配置したワイヤレスリモコン装置であって、前記表面板は防水性で且つ非導電性となっており、前記センサーは前記表面板に向かって接近する指先で生じる電気的変化を検知する非接触式であることを特徴とするワイヤレスリモコン装置である。電気的変化とは、接近・離反する指先による静電容量の変化、または接近・離反する指先によるミリ波やマイクロ波の電波の反射・無反射の変化等がある。表面板は、陶磁器板又はガラス板等の無機質板からなり、表面が平坦に形成されるものや、表面が円弧等の彎曲状に形成されるものがある。
本発明にあっては、センサーが防水性で且つ非導電性の表面板で覆われた非接触式となっているため、表面板の表面側に可撓性の防水膜を設ける必要がない。なお、表面板が陶磁器板又はガラス板等の無機質板からなるときは、丈夫な無機質板で表面側を形成することができる。
【０００７】
非接触式のセンサーに対する二度操作を防止するために請求項２記載の本発明が採用した手段は、前記表面板の裏面側に、前記センサーの一回の検知で発音及び／又は発光して操作報告を発する報告具と、前記センサーの検知後に空白時間を設けて次の検知を可能とする空白設定回路とを備えた請求項１に記載のワイヤレスリモコン装置である。
本発明にあっては、報告具の発する操作報告で指先操作を確認できると共に、空白設定回路で空白時間が設けられるので、指先操作が連続的に二度あったとしても、一回の指先操作として検知することになる。
【０００８】
電池の交換を不要とするために請求項３記載の本発明が採用した手段は、前記電池は太陽電池からなり、前記表面板はその表面側から太陽電池へ光を導く透明部を形成した請求項１又は２に記載のワイヤレスリモコン装置である。なお、太陽電池で充電される蓄電池を備え、蓄電池を電源とすることもある。
本発明にあっては、太陽電池で起電するので、従来の乾電池が不要となる。
【０００９】
電池の交換を不要とするために請求項４記載の本発明が採用した手段は、前記電池は蓄電池からなり、該蓄電池を充電する充電装置を備え、該充電装置は、前記表面板の裏面側に配置されて２次コイルを有する充電具と、前記表面板の表面側から該２次コイルに接近できる１次コイルを有する給電具とからなり、両コイルが接近したときに両コイル間の電磁誘導作用よる誘導電流で充電する請求項１又は２に記載のワイヤレスリモコン装置である。
本発明にあっては、充電装置で充電する蓄電池を電源とすることで、従来のような乾電池が不要となり、また、表面板の表面に給電具を接近させてワイヤレスで充電できる。
【００１０】
電池の交換を不要とするために請求項５記載の本発明が採用した手段は、前記電池は蓄電池からなり、該蓄電池を充電する充電装置を備え、該充電装置は、前記表面板の表面側に位置する送信機と、前記表面板の裏面側に配置した充電具とからなり、該送信機から発して該充電具で受信した電波を充電用電圧に生成して充電する請求項１又は２に記載のワイヤレスリモコン装置である。
本発明にあっては、充電装置で充電する蓄電池を電源とすることで、従来のような乾電池が不要となり、また、ワイヤレスで充電できる。
【００１１】
リモコンを取り付ける壁面との調和を図るために請求項６記載の本発明が採用した手段は、前記表面板は、室内壁の表面の一部を形成し、その裏面側に配置するものを該室内壁の内部に埋設した請求項１乃至５のいずれか１項に記載のワイヤレスリモコン装置である。室内壁との一体性を持たせるために、前記表面板の表面を表面板の周りの壁表面と面一とする場合がある。
本発明にあっては、室内壁の表面の一部を表面板で形成することで、壁面との一体感が得られる。
【００１２】
【発明の実施の形態】
以下、本発明に係るワイヤレスリモコン装置（以下、「本発明リモコン装置」という。）を図面に示す実施の形態に基づいて説明する。
【００１３】
（第１の実施の形態）
図１及び図２は本発明リモコン装置の第１の実施の形態を示すものであり、図１は本発明リモコン装置を備えた設備の概略図、図２は本発明リモコン装置を示すものであって、（Ａ）は室内壁に取り付けた本発明リモコン装置を表面側からみた正面図、（Ｂ）は室内壁に取り付けた状態を断面した左側面図、（Ｃ）は本発明リモコン装置の単体を示す断面した左側面図、（Ｄ）は発明リモコン装置の電気構成を概略的に示すブロック図である。
【００１４】
本実施の形態は、図１に示す如く、本発明リモコン装置１で遠隔操作する機器を、キッチン設備の照明付き換気扇２としている。照明付き換気扇２は、フード３と、換気用フアン４と、照明具５と、発明リモコン装置１からワイヤレスで送信される電波Ｒを受信すると共に受信したＯＮ／ＯＦＦ操作信号に基づいて換気用フアン４及び照明具５をＯＮ／ＯＦＦ制御する受信装置６とを備えている。発明リモコン装置１は、機器を備えたキッチンの室内の壁Ｗに取り付けられ、室内壁Ｗの表面の一部を形成している。
【００１５】
前記発明リモコン装置１は、図２（Ａ）〜（Ｃ）に示す如く、表面板７と、表面板７の裏面側Ｂに配置した一組または複数組みのセンサー８と、同裏面側Ｂに配置した送信装置９と、同裏面側Ｂに配置した電池１０とを備えている。
【００１６】
前記表面板７は、陶磁器板又はガラス板等の無機質板や合成樹脂板からなる防水性で且つ非導電性となっており、室内壁Ｗの表面の形状に応じて表面７ａが平坦に形成されるものや、表面７ａが円弧等の彎曲状に形成されるもの（図示略）がある。表面板７は、その表面７ａに、センサー８の操作位置及び操作の内容を示すための表示層７ｂを印刷又は貼着等してある。表面板７の裏面側Ｂは、カバー１１が設けられ、同裏面側Ｂに配置したセンサー８等をカバー１１で覆ってある。カバー１１は、合成樹脂や金属板等で形成され、防水性となっている。カバー１１は、前記電池１０の交換ができるように開閉蓋（図示略）が設けられている。本実施の形態において、表面板７は、室内壁Ｗとの一体感を持たせるために、室内壁Ｗの表面Ｗａの一部を形成し（図１参照）、その裏面側に配置するセンサー８等のものを室内壁Ｗの内部に埋設してある。更に、表面板７は、その表面７ａを周りの壁表面Ｗａと面一にしてある。
【００１７】
前記センサー８は、表面板７の表面側Ａにおいて表面板７へ向かって接近・離反する指先（図示略）で生じる電気的変化を検知する非接触式であり、例えば、接近・離反する指先による静電容量の変化（電気的変化）で検知する静電容量式センサー、またはミリ波やマイクロ波等の電波を発信すると共に接近・離反する指先で反射・無反射（電気的変化）した電波を受信して検知する電波式センサーが用いられる。センサー８は、電気的変化を検知するセンサー本体８ａと、センサー本体８ａを制御すると共に検知に基づいてＯＮ／ＯＦＦ信号を発するセンサ回路８ｂとを備えている。センサ回路８ｂには、二度操作を防止するために、センサー本体８ａの一回の検知で発音及び／又は発光して操作報告を操作者に発する報告具（図示略）と、センサー本体８ａの検知後に空白時間を設けて次の検知を可能とする空白設定回路（図示略）とを備えている。操作者は、報告具の発する操作報告で指先操作を確認できると共に、空白設定回路で空白時間が設けられるので、例え空白時間帯に表面板７へ向かって指先を接近・離反させる一回の指先操作を連続的に二度以上おこなったとしても、一回の指先操作として扱われる。
【００１８】
前記送信装置９は、センサー８からの信号に応じたＯＮ／ＯＦＦ信号を、機器側となる照明付き換気扇２の受信装置６にワイヤレスで送信するものであり、送信回路９ａとアンテナ９ｂとからなる。前記電池１０は、乾電池からなり、前記センサー８及び送信装置９を駆動するものである。電池１０の交換は、室内壁Ｗから発明リモコン装置１を着脱して行われる。
【００１９】
本発明リモコン装置１は、センサー８が防水性で且つ非導電性の表面板７で覆われて非接触式となっているため、表面板７の表面側に従来の可撓性の防水膜を設ける必要がなくなり、防水膜の耐久性の問題や防水膜を設けることによる意匠的制限を受けることがない。本発明リモコン装置１は、表面板７が陶磁器板又はガラス板等の無機質板からなるときは、丈夫な無機質板で表面側を形成することができる。
【００２０】
（第２の実施の形態）
図３は本発明リモコン装置の第２の実施の形態を示すものであり、（Ａ）は本発明リモコン装置を表面側からみた正面図、（Ｂ）は断面した左側面図である。
【００２１】
本実施の形態に係る本発明リモコン装置２１が前記第１の実施の形態に係る本発明リモコン装置１（図１及び図２参照）と大きく相違する点は、防水型の箱状の外装ケース２２の表板部２２ａで表面板７を形成したことである。この相違点以外の構成は、前記本発明リモコン装置１と実質的に同一であり、図面中に付された同一の符号は同一の構成部材等を示す。
【００２２】
外装ケース２２は、合成樹脂製であり、表面板７が防水性で且つ非導電性となっている。外装ケース２２の内側には、表面板７の裏面側に配置するセンサー８、送信装置９及び電池１０が内蔵されている。本発明リモコン装置２１は、室内壁Ｗの表面等に、外装ケース２２に取着した吸盤等の取付具（図示略）を介して取り付けられる。
【００２３】
（第３の実施の形態）
図４は本発明リモコン装置の第３の実施の形態を示すものであり、（Ａ）は室内壁に取り付けた本発明リモコン装置を表面側からみた正面図、（Ｂ）は室内壁に取り付けた状態を断面した左側面図、（Ｃ）は本発明リモコン装置の単体を示す断面した左側面図である。
【００２４】
本実施の形態に係る本発明リモコン装置３１が前記第１の実施の形態に係る本発明リモコン装置１（図１及び図２参照）と大きく相違する点は、電池を太陽電池３０としたことである。この相違点以外の構成は、前記本発明リモコン装置１と実質的に同一であり、図面中に付された同一の符号は同一の構成部材等を示す。
【００２５】
表面板７は、その表面側から太陽電池３０へ光を導く透明部７ｃを形成してある。表面板７を透明なガラス板や合成樹脂板から形成する場合には、表面板７の裏面に透明部７ｃを除いて遮光層７ｄを設けて、裏面側Ｂに配置した送信装置９等が表面側Ａから見えないようにしてある。なお、本発明リモコン装置３１は、図示は省略したが、太陽電池３０で充電される蓄電池を備え、蓄電池を電源とすることもある。本発明リモコン装置３１は、太陽電池３０で起電するので、従来の乾電池が不要となる。
【００２６】
（第４の実施の形態）
図５は本発明リモコン装置の第４の実施の形態を示すものであり、（Ａ）は室内壁に取り付けた本発明リモコン装置を断面した左側面図、（Ｂ）は電気構成を概略的に示すブロック図である。
【００２７】
本実施の形態に係る本発明リモコン装置４１が前記第１の実施の形態に係る本発明リモコン装置１（図１及び図２参照）と大きく相違する点は、電池を蓄電池５０とし、蓄電池５０を充電する充電装置４２を備えたことである。この相違点以外の構成は、前記本発明リモコン装置１と実質的に同一であり、図面中に付された同一の符号は同一の構成部材等を示す。
【００２８】
前記充電装置４２は、表面板７の裏面側Ｂに配置されて２次コイル４３ａを有する充電具４３と、表面板７の表面側から２次コイル４３ａに接近できる１次コイル４４ａを有する給電具４４とからなり、両コイル４３ａ，４４ａが接近したときに両コイル４３ａ，４４ａ間の電磁誘導作用よる誘導電流で充電するように構成してある。給電具４４は、充電するための電源を、内蔵した乾電池４４ｂとするか、または１００Ｖを降圧回路で降圧した安全なものとしている。前記表面板７は、充電具４３の２次コイル４３ａに面する部分の肉厚を必要に応じて薄く形成して、両コイル４３ａ，４４ａを接近できるようにしてある。充電具４３は、充電の完了時に、表面板７の表面側Ａに対して発音又は発光する報告具を備えることもある。
【００２９】
本発明リモコン装置４１は、充電装置４２で充電する蓄電池５０を電源とすることで、従来のような乾電池が不要となり、また、表面板７の表面７ａに給電具４４を接近させて充電できる。
【００３０】
（第５の実施の形態）
図６は本発明リモコン装置の第５の実施の形態を示すものであり、（Ａ）は本発明リモコン装置を備えた設備の概略図、（Ｂ）は電気構成を概略的に示すブロック図である。
【００３１】
本実施の形態に係る本発明リモコン装置５１が前記第１の実施の形態に係る本発明リモコン装置１（図１及び図２参照）と大きく相違する点は、電池を蓄電池５０とし、蓄電池５０をワイヤレスで充電する充電装置５２を備えたことである。この相違点以外の構成は、前記本発明リモコン装置１と実質的に同一であり、図面中に付された同一の符号は同一の構成部材等を示す。
【００３２】
前記充電装置５２は、表面板７の表面側Ａの外側に位置する送信機５２ａと、表面板７の裏面側Ｂに配置した充電具５２ｂとからなり、送信機５２ａから発せられた電波を利用して充電具５２ｂで充電するようにしてある。送信機５２ａは、低周波を含む電波を発信する発信器及びアンテナを備えている。該充電具５２ｂは、電波を受信するアンテナ及び受信回路と、受信した電波中に含まれている低周波成分を整流して充電用電圧に生成する電圧生成回路と、生成した電圧で蓄電池５０を充電する充電回路とを備えている。該送信機５２ａは、本発明リモコン装置５１で遠隔操作される機器である照明付き換気扇２に一体に備える場合と、照明付き換気扇２と別の場所に備える場合とがある。送信機５２ａは、充電用の電波を常時または間欠的に発信するように回路構成されている。
【００３３】
本発明リモコン装置５１は、充電装置５２で充電する蓄電池５０を電源とすることで、従来のような乾電池が不要となり、また、ワイヤレスで充電できる。
【００３４】
（その他の実施の形態）
図４に示す本発明リモコン装置３１、図５に示す本発明リモコン装置４１及び図６に示す本発明リモコン装置５１は、図示は省略したが、防水型の箱状の外装ケース２２（図３参照）の表板部２２ａで表面板７を形成することもある。
【００３５】
図５に示す第４の実施の形態の本発明リモコン装置に備えた蓄電池５０を充電する充電具の別態様としては、図示は省略したが、カバー１１の内側に設けた発電機と、表面板７の表面側ａに入力操作部（例えば、回転操作する摘み）を露出すると共に入力操作部の操作で蓄えた反発弾性力を徐々に発散して発電機を駆動するゼンマイと、発電機で発電した電気を蓄電池５０に充電する受電回路とを備えることもある。
【００３６】
本発明リモコン装置で遠隔操作する機器は、前記第１乃至〜５の実施の形態におけるキッチン設備の照明付き換気扇２に限定するものではなく、便所に備えた局部洗浄装置、浴室に備えたテレビ等に適応することも可能である。
【００３７】
【発明の効果】
請求項１記載の本発明リモコン装置は、表面板の表面側に可撓性の防水膜を設ける必要がないため、防水膜の耐久性の問題や防水膜を設けることによる意匠的制限を受けることがなくなる。
【００３８】
請求項２記載の本発明リモコン装置は、報告具の発する操作報告で指先操作を確認できると共に、指先操作が連続的に二度あったとしても、一回の指先操作として検知するため、非接触式のセンサーに対する二度操作を防止して確実な操作を確保できる。
【００３９】
請求項３記載の本発明リモコン装置は、太陽電池で起電するので、従来の電池の交換が不要となり保守が簡単になる。
【００４０】
請求項４記載の本発明リモコン装置は、充電装置で充電する蓄電池を電源とすることで、従来の電池の交換が不要となり保守が簡単になる。
【００４１】
請求項４記載の本発明リモコン装置は、ワイヤレスで充電する蓄電池を電源とすることで、従来の電池の交換が不要となり保守が簡単になる。
【００４２】
請求項５記載の本発明リモコン装置は、室内壁の表面の一部を表面板で形成するので、リモコンと壁面との調和を図ることができる。
【図面の簡単な説明】
【図１】本発明リモコン装置の第１の実施の形態を示すものであり、本発明リモコン装置を備えた設備の概略図である。
【図２】第１の実施の形態の本発明リモコン装置を示すものであって、（Ａ）は室内壁に取り付けた本発明リモコン装置を表面側からみた正面図、（Ｂ）は室内壁に取り付けた状態を断面した左側面図、（Ｃ）は本発明リモコン装置の単体を示す断面した左側面図、（Ｄ）は発明リモコン装置の電気構成を概略的に示すブロック図である。
【図３】本発明リモコン装置の第２の実施の形態を示すものであり、（Ａ）は本発明リモコン装置を表面側からみた正面図、（Ｂ）は断面した左側面図である。
【図４】本発明リモコン装置の第３の実施の形態を示すものであり、（Ａ）は室内壁に取り付けた本発明リモコン装置を表面側からみた正面図、（Ｂ）は室内壁に取り付けた状態を断面した左側面図、（Ｃ）は本発明リモコン装置の単体を示す断面した左側面図である。
【図５】本発明リモコン装置の第４の実施の形態を示すものであり、（Ａ）は本発明リモコン装置を備えた設備の概略図、（Ｂ）は電気構成を概略的に示すブロック図である。
【図６】本発明リモコン装置の第５の実施の形態を示すものであり、（Ａ）は本発明リモコン装置を備えた設備の概略図、（Ｂ）は電気構成を概略的に示すブロック図である。
【符号の説明】
６…受信装置、７…表面板、７ａ…表面、８…センサー、９…送信機、１０（３０，４０，５０）…電池、４５（５２）…充電装置、Ａ…表面側、Ｂ…裏面側、Ｗ…室内壁
【図１】
2004140637.tif 000003
【図２】
2004140637.tif 000004
【図３】
2004140637.tif 000005
【図４】
2004140637.tif 000006
【図５】
2004140637.tif 000007
【図６】
2004140637.tif 000008